(57)【要約】      （修正有）【課題】任意に拡充可能な発光ダイオード表示モジュールを提供する。【解決手段】任意に拡充可能な発光ダイオード表示モジュールは印刷回路板を含み、該印刷回路板上に設置する少なくとも１個の発光ダイオードと、該印刷回路板の一端に設置し、しかも該発光ダイオードに接続する第一連接装置と、該印刷回路板の反対端に設置し、しかも該発光ダイオードに接続し、しかも該第一連接装置と相互に挿入接続する第二連接装置と、を搭載する。こうして該第一連接装置及び該第二連接装置は該発光ダイオード表示モジュールを拡充し、任意の図形、文字及び数字或いは符号に組み合わせることができる。【選択図】図１
0003143944.tif 000002
【実用新案登録請求の範囲】
【請求項１】
任意に拡充可能な発光ダイオード表示モジュールは以下の部品を搭載する印刷回路板を含み、
少なくとも１個の発光ダイオードは該印刷回路板上に設置し、
第一連接装置は該印刷回路板の一端に設置し、しかも該発光ダイオードに接続し、
第二連接装置は該印刷回路板の反対端に設置し、しかも該発光ダイオードに接続し、しかも該第一連接装置と相互に挿入接続し、
こうして該第一連接装置及び該第二連接装置は該発光ダイオード表示モジュールを拡充し、任意の図形、文字及び数字或いは符号に組み合わせ可能であることを特徴とする任意に拡充可能な発光ダイオード表示モジュール。
【請求項２】
前記印刷回路板の形状は細長い形状、Ｌ型、┴型或いはコの字型で、しかもその上には少なくとも１個の正極パッド、負極パッド及び配線を備え、該発光ダイオードに接続することを特徴とする請求項１記載の任意に拡充可能な発光ダイオード表示モジュール。
【請求項３】
前記発光ダイオードは単色或いはフルカラー発光ダイオードであることを特徴とする請求項１記載の任意に拡充可能な発光ダイオード表示モジュール。
【請求項４】
前記第一連接装置はゴールデンフィンガー或いは一列のピンで、それは正極プロング及び負極プロングを備え、それぞれ該正極パッド、負極パッドを経て該発光ダイオードに接続し、該第二連接装置はさらに凹槽を備え、該凹槽中には正極プロング及び負極プロングを備え、しかも該２個のプロングは延伸し該第二連接装置において露出し、それぞれ該正極パッド、負極パッドを経て該発光ダイオードに接続することを特徴とする請求項２記載の任意に拡充可能な発光ダイオード表示モジュール。
【請求項５】
前記任意に拡充可能な発光ダイオード表示モジュールはさらにハウジングを備え、該ハウジング上には両端が貫通した容置空間を備え、該印刷回路板を容置し、しかも該ハウジングの上表面上には少なくとも１個の孔洞を備え、該発光ダイオードを露出させ、該ハウジングは絶縁材質により製造し、しかもその形状は細長い形状、Ｌ型、┴型或いはコの字型であることを特徴とする請求項４記載の任意に拡充可能な発光ダイオード表示モジュール。
【請求項６】
前記第一連接装置は該ハウジング中に内蔵し、該第二連接装置は該ハウジングにおいて露出し、該第一連接装置及び第二連接装置は共に該ハウジング中に内蔵し、或いは該第一連接装置及び第二連接装置は共に該ハウジングにおいて露出することを特徴とする請求項５記載の任意に拡充可能な発光ダイオード表示モジュール。
【請求項７】
前記任意に拡充可能な発光ダイオード表示モジュールはさらにコントロールボックスを備え、その内部には少なくとも１個のコントローラー及びコネクターを備え、該コネクターは該第一連接装置或いは第二連接装置に連接し、これにより該コントローラーは該発光ダイオードが発する色及び点灯時間を制御可能であることを特徴とする請求項５記載の任意に拡充可能な発光ダイオード表示モジュール。
【考案の詳細な説明】
【技術分野】
【０００１】
本考案は任意に拡充可能な発光ダイオード表示モジュールに関する。特にコネクターにより発光ダイオード表示モジュールを拡充し組合せ、任意の図形、文字及び数字或いは符号を形成する任意に拡充可能な発光ダイオード表示モジュールに関する。
【背景技術】
【０００２】
公知の棒状発光ダイオード発光装置(LED light bar)は通常は、若干の発光ダイオード(LED)を備え、しかも底部には粘着層を備える。こうして該粘着層により建築物上に接着し、装飾或いは照明を提供する。特に夜間には、外付けコントローラーの制御を合わせ、フルカラー、高輝度発光ダイオードは各色の変化を発色し、夜間の景色に光彩を添える。
【０００３】
しかし、上記の棒状発光ダイオード発光装置は普通は細長い形状であるため、その配列組合せは方形、円形、菱形、三角形等の棒状の組合せに限定される。
また、該棒状発光ダイオード発光装置は出荷時に巻き線状に包装され、使用時に、使用者は必要な長さに応じて裁断し、必要な形状に組み合わせる。しかし裁断後、その長さは改変不能で、特に拡充(或いは延長)することができない。よって、長さに不足がある時には、該棒状発光ダイオード発光装置を再使用することができず、資源の浪費を招いている。
【特許文献１】特開２００５−３１１０４２公報
【考案の開示】
【考案が解決しようとする課題】
【０００４】
本考案が解決しようとする課題は、公知の棒状発光ダイオード発光装置の欠点を克服することができる任意に拡充可能な発光ダイオード表示モジュールを提供することである。
【課題を解決するための手段】
【０００５】
上記課題を解決するため、本考案は下記の任意に拡充可能な発光ダイオード表示モジュールを提供する。
任意に拡充可能な発光ダイオード表示モジュールはコネクターにより該発光ダイオード表示モジュールを拡充し組合せ、任意の図形、文字及び数字或いは符号を形成することができ、
任意に拡充可能な発光ダイオード表示モジュールは以下の部品を搭載する印刷回路板を含み、
少なくとも１個の発光ダイオードは該印刷回路板上に設置し、
第一連接装置は該印刷回路板の一端に設置し、しかも該発光ダイオードに接続し、
第二連接装置は該印刷回路板の反対端に設置し、しかも該発光ダイオードに接続し、しかも該第一連接装置と相互に挿入接続し、
こうして該第一連接装置及び該第二連接装置は該発光ダイオード表示モジュールを拡充し、任意の図形、文字及び数字或いは符号に組み合わせることができる。
【考案の効果】
【０００６】
上記のように、本考案はコネクターにより該発光ダイオード表示モジュールを拡充し組合せ、任意の図形、文字及び数字或いは符号を形成することができる。
【考案を実施するための最良の形態】
【０００７】
本考案の好適な１実施例の任意に拡充可能な発光ダイオード表示モジュールの分解指示図である図１、本考案の印刷回路板、第一連接装置及び第二連接装置の後側指示図である図２、本考案の１実施例の任意に拡充可能な発光ダイオード表示モジュールの組合せ指示図である図３に示すように、本考案任意に拡充可能な発光ダイオード表示モジュールは、ハウジング10、印刷回路板20、少なくとも１個の発光ダイオード30、第一連接装置40、第二連接装置50により組成する。
該ハウジング10は絶縁材質により製造し、プラスチック等(但しこれに限定しない)で、その上には両端が貫通した容置空間11を備え、該印刷回路板20を容置し、しかも該ハウジング10の上表面上には少なくとも１個の孔洞12を備え、該発光ダイオード30を露出させる。
【０００８】
前記印刷回路板20は該容置空間11中に設置し、前記発光ダイオード30、第一連接装置40及び第二連接装置50等部品を搭載し、その上には少なくとも１個の正極パッド(pad)21、負極パッド(pad)22及び配線(図示なし)を備え、該発光ダイオード30に接続する。しかも、該印刷回路板20の形状は、細長い形状、Ｌ型、┴型、或いは、コの字型等(但し、これに限定しない)である。
前記発光ダイオード30は該印刷回路板20上に設置し、しかも該孔洞12において露出する。該発光ダイオード30及び孔洞12の個数は必要に応じて改変可能で、しかも該発光ダイオード30は単色或いはフルカラー高輝度発光ダイオード等(但しこれに限定しない)である。
該発光ダイオード30が共陰極フルカラー発光ダイオードである時には、それはそれぞれ赤色(R)、緑色(G)、青色(B)の正極パッド(pad)21及び負極パッド(pad)22等の４個のパッド及び配線(図示なし)が必要で、本実施例中では単色発光ダイオードを例とし説明するが、これに限定するものではない。
【０００９】
該第一連接装置40は該印刷回路板20の一端、例えば右端等(但しこれに限定しない)に設置し、しかも該発光ダイオード30に接続し、それはゴールデンフィンガー(golden finger)等(但しこれに限定しない)で、正極プロング41及び負極プロング42を備え、それぞれ該正極パッド21、該負極パッド22を経由し、該発光ダイオード30に接続する。該正極プロング41及び負極プロング42の個数は該正極パッド(pad)21及び負極パッド(pad)22と相同である。
該第二連接装置50は該印刷回路板20の反対端、例えば左端等(但しこれに限定しない)に設置し、しかも該発光ダイオード30に接続し、凹槽51を備える。該凹槽51中には正極プロング52及び負極プロング53を備え、しかも該２個のプロング52、53は延伸し該第二連接装置50において露出し、これによりそれぞれ該正極パッド21、負極パッド22を経て該発光ダイオード30に接続する。該正極プロング52及び負極プロング53の個数は該正極パッド(pad)21及び負極パッド(pad)22と相同である。
【００１０】
組合せ時には、先ず該発光ダイオード30及び第二連接装置50をそれぞれ該印刷回路板20上に接着する。次に、該ハウジング10を該印刷回路板20上に被せ設置し、こうして本考案発光ダイオード表示モジュールの組み立てを完成する。
【００１１】
本考案別種の実施例の任意に拡充可能な発光ダイオード表示モジュールの分解指示図である図４、本考案別種の実施例の印刷回路板、第一連接装置及び第二連接装置の後側指示図である図５、本考案任意に拡充可能な発光ダイオード表示モジュールの組合せ指示図である図６に示すように、本考案の該第一連接装置40は一列のピン(pin)で、該第二連接装置50はさらに凹槽51を備える。該凹槽51中には正極プロング52及び負極プロング53を備え、しかも該２個のプロング52、53は一列に配列するピンで、しかも延伸し該第二連接装置50において露出する。こうしてそれぞれ該正極パッド21、負極パッド22を経由し、該発光ダイオード30に接続する。
【００１２】
組合せ時には、先ず該発光ダイオード30及び第二連接装置50をそれぞれ該印刷回路板20上に接着する。次に、該ハウジング10を該印刷回路板20上に被せ設置し、こうして本考案の発光ダイオード表示モジュールの組み立てを完成する。
【００１３】
図７は本考案任意に拡充可能な発光ダイオード表示モジュールの形状が細長い形状、Ｌ型、┴型或いはコの字型である指示図で、図８〜図１７はそれぞれ本考案任意に拡充可能な発光ダイオード表示モジュールを任意の図形、文字及び数字或いは符号に組み合わせる指示図である。
図７に示すように、本考案任意に拡充可能な発光ダイオード表示モジュールのハウジング10及び印刷回路板20の形状は細長い形状、Ｌ型、┴型或いはコの字型で、しかも該第一連接装置40は該ハウジング10中等(但し、これに限定しない)に内蔵し、該第二連接装置50は該ハウジング10等(但し、これに限定しない)において露出する。或いは、該第一連接装置40は該ハウジング10中等(但し、これに限定しない)に内蔵し、該第二連接装置50は該ハウジング10等(但し、これに限定しない)に内蔵する。或いは、該第一連接装置40は該ハウジング10中等(但しこれに限定しない)において露出し、該第二連接装置50は該ハウジング10等(但し、これに限定しない)において露出する。
【００１４】
内蔵或いは該ハウジング10において露出する該第一連接装置40及び該第二連接装置50は、本考案任意に拡充可能な発光ダイオード表示モジュールを任意に拡充し、図８〜図１７に示す０、１、２、３、４、５、６、７、８、９等数字等の任意の図形、文字及び数字或いは符号に組み合わせることができる。よって、本考案任意に拡充可能な発光ダイオード表示モジュールは公知技術の欠点を確実に改善することができる。
【００１５】
本考案の実施例の任意に拡充可能な発光ダイオード表示モジュールがさらにコントロールボックスを外付けする指示図である図１８に示すように、本考案の実施例の任意に拡充可能な発光ダイオード表示モジュールはさらにコントロールボックス70を外付けすることができる。その内部には少なくとも１個のコントローラー71及びコネクター72を備え、該コネクター72は該第一連接装置40或いは第二連接装置50に連接する。これにより該コントローラー71は該発光ダイオード30が発する色及び点灯時間を制御することができる。
よって、本考案の実施において、コネクターにより該発光ダイオード表示モジュールを拡充し、任意の図形、文字及び数字或いは符号に組み合わせる目的を達成することができる。
本考案の上記掲示は最適実施例に過ぎず、局部の変更或いは修飾は本考案の技術思想から出発し、該項技術の習熟者が容易に類推できるものであれば、本考案の請求範囲に含むものとする。
【図面の簡単な説明】
【００１６】
【図１】本考案の実施例の任意に拡充可能な発光ダイオード表示モジュールの分解指示図である。
【図２】本考案の任意に拡充可能な発光ダイオード表示モジュールの分解指示図である。
【図３】本考案の任意に拡充可能な発光ダイオード表示モジュールの組合せ指示図である。
【図４】本考案の別種の実施例の任意に拡充可能な発光ダイオード表示モジュールの分解指示図である。
【図５】本考案の別種の実施例の任意に拡充可能な発光ダイオード表示モジュールの分解指示図である。
【図６】本考案の別種の実施例の任意に拡充可能な発光ダイオード表示モジュールの組合せ指示図である。
【図７】本考案の任意に拡充可能な発光ダイオード表示モジュールの形状が細長い形状、Ｌ型、┴型或いはコの字型である指示図である。
【図８】本考案の任意に拡充可能な発光ダイオード表示モジュールを任意の図形、文字及び数字或いは符号に組み合わせる指示図である。
【図９】本考案の任意に拡充可能な発光ダイオード表示モジュールを任意の図形、文字及び数字或いは符号に組み合わせる指示図である。
【図１０】本考案の任意に拡充可能な発光ダイオード表示モジュールを任意の図形、文字及び数字或いは符号に組み合わせる指示図である。
【図１１】本考案の任意に拡充可能な発光ダイオード表示モジュールを任意の図形、文字及び数字或いは符号に組み合わせる指示図である。
【図１２】本考案の任意に拡充可能な発光ダイオード表示モジュールを任意の図形、文字及び数字或いは符号に組み合わせる指示図である。
【図１３】本考案の任意に拡充可能な発光ダイオード表示モジュールを任意の図形、文字及び数字或いは符号に組み合わせる指示図である。
【図１４】本考案の任意に拡充可能な発光ダイオード表示モジュールを任意の図形、文字及び数字或いは符号に組み合わせる指示図である。
【図１５】本考案の任意に拡充可能な発光ダイオード表示モジュールを任意の図形、文字及び数字或いは符号に組み合わせる指示図である。
【図１６】本考案の任意に拡充可能な発光ダイオード表示モジュールを任意の図形、文字及び数字或いは符号に組み合わせる指示図である。
【図１７】本考案の任意に拡充可能な発光ダイオード表示モジュールを任意の図形、文字及び数字或いは符号に組み合わせる指示図である。
【図１８】本考案の任意に拡充可能な発光ダイオード表示モジュールがさらにコントロールボックスを外付けする指示図である。
【符号の説明】
【００１７】
10  ハウジング
11  容置空間
12  孔洞
20  印刷回路板
21  正極パッド(pad)
22  負極パッド(pad)
30  発光ダイオード
40  第一連接装置
41  正極プロング
42  負極プロング
50  第二連接装置
51  凹槽
52  正極プロング
53  負極プロング
70  コントロールボックス
71  コントローラー
72  コネクター
【図１】
0003143944.tif 000003
【図２】
0003143944.tif 000004
【図３】
0003143944.tif 000005
【図４】
0003143944.tif 000006
【図５】
0003143944.tif 000007
【図６】
0003143944.tif 000008
【図７】
0003143944.tif 000009
【図８】
0003143944.tif 000010
【図９】
0003143944.tif 000011
【図１０】
0003143944.tif 000012
【図１１】
0003143944.tif 000013
【図１２】
0003143944.tif 000014
【図１３】
0003143944.tif 000015
【図１４】
0003143944.tif 000016
【図１５】
0003143944.tif 000017
【図１６】
0003143944.tif 000018
【図１７】
0003143944.tif 000019
【図１８】
0003143944.tif 000020